(57)【要約】【課題】閉塞された部屋においても十分な芳香効果を得る上で有利な芳香剤容器を提供すること。【解決手段】閉塞状態の部屋であっても、部屋内の温度差等により空気の対流が生じるため、部屋の中に空気の流れが生じ、この空気の流れは、起立位置となった蓋体１４の第２収容部１４Ａの第２芳香剤２２の表面に当たり、第２芳香剤２２の芳香成分の揮発を促進する。そして、揮発された第２芳香剤２２の芳香成分の一部は、容器本体１２の第１収容部１２Ａの第１芳香剤２０の表面に当たり、第１芳香剤２０の表面を刺激することで第１芳香剤２０の揮発を促進する。したがって、閉塞状態の部屋であっても、香りを部屋の隅々に充分の拡散する上で有利となり、特に、長期旅行などで家を長い間空ける場合などに有利となる。【選択図】図３
2020130549.tif 000002
【特許請求の範囲】
【請求項１】
被載置面に載置可能で揮発性を有する固体または半固体の第１芳香剤が収容され上方が開放された第１収容部を有する容器本体と、
前記第１収容部を閉塞する閉塞位置と前記容器本体の端部から起立する起立位置とに選択的になることが可能で、前記閉塞位置で下方に開放状で揮発性を有する固体または半固体の第２芳香剤が収容された第２収容部を有する蓋体と、
を備えることを特徴とする芳香剤容器。
【請求項２】
前記容器本体と前記蓋体とは揺動可能に結合され、
前記蓋体を前記閉塞位置と前記起立位置とに係止保持させる係止機構が設けられている、
ことを特徴とする請求項１記載の芳香剤容器。
【請求項３】
前記蓋体の起立位置は、前記容器本体に対して前記蓋体のなす角度を異ならせて複数設けられている、
ことを特徴とする請求項１または２記載の芳香剤容器。
【請求項４】
前記容器本体には、前記第１芳香剤の揮発を許容しつつ前記第１芳香剤への指の接触を防止する第１接触防止部材が設けられ、
前記蓋体には、前記第２芳香剤の揮発を許容しつつ前記第２芳香剤への指の接触を防止する第２接触防止部材が設けられている、
ことを特徴とする請求項１〜３の何れか１項記載の芳香剤容器。
【請求項５】
前記第１芳香剤と前記第２芳香剤とは芳香成分が異なる、
ことを特徴とする請求項１〜４の何れか１項記載の芳香剤容器。
【請求項６】
前記蓋体の前記起立位置で、前記蓋体が前記容器本体に対してなす角度θは、４５度以上１２０度以下である、
ことを特徴とする請求項１〜５の何れか１項記載の芳香剤容器。
【発明の詳細な説明】
【技術分野】
【０００１】
本発明は芳香剤容器に関する。
【背景技術】
【０００２】
従来、固体や半固体の芳香剤を収容した芳香剤容器は種々提供されている。
従来の芳香剤容器の多くは、芳香剤の底面と周囲が容器で覆われており、容器に収容した芳香剤は、容器の上面から揮発する。
一方、窓などが閉じられた閉塞された部屋においても、温度差等による空気の対流が生じるため、部屋の中に空気の流れが生じることが知られている。
【先行技術文献】
【特許文献】
【０００３】
【特許文献１】特開２０１８−１３４１３３号公報
【発明の概要】
【発明が解決しようとする課題】
【０００４】
このような場合、芳香剤の底面と周囲が容器で覆われている従来の芳香剤容器では、部屋に生じた空気の流れを利用して芳香剤の揮発を促進し難く、十分な芳香効果を得る上で不利となる。
本発明は前記事情に鑑み案出されたものであって、本発明の目的は、閉塞された部屋においても十分な芳香効果を得る上で有利な芳香剤容器を提供することにある。
【課題を解決するための手段】
【０００５】
上述の目的を達成するため、本発明は、芳香剤容器であって、被載置面に載置可能で揮発性を有する固体または半固体の第１芳香剤が収容され上方が開放された第１収容部を有する容器本体と、前記第１収容部を閉塞する閉塞位置と前記容器本体の端部から起立する起立位置とに選択的になることが可能で、前記閉塞位置で下方に開放状で揮発性を有する固体または半固体の第２芳香剤が収容された第２収容部を有する蓋体とを備えることを特徴とする。
また、本発明は、前記容器本体と前記蓋体とは揺動可能に結合され、前記蓋体を前記閉塞位置と前記起立位置とに係止保持させる係止機構が設けられていることを特徴とする。
また、本発明は、前記蓋体の起立位置は、前記容器本体に対して前記蓋体のなす角度を異ならせて複数設けられていることを特徴とする。
また、本発明は、前記容器本体には、前記第１芳香剤の揮発を許容しつつ前記第１芳香剤への指の接触を防止する第１接触防止部材が設けられ、前記蓋体には、前記第２芳香剤の揮発を許容しつつ前記第２芳香剤への指の接触を防止する第２接触防止部材が設けられていることを特徴とする。
また、本発明は、前記第１芳香剤と前記第２芳香剤とは芳香成分が異なることを特徴とする。
また、本発明は、前記蓋体の前記起立位置で、前記蓋体が前記容器本体に対してなす角度θは、４５度以上１２０度以下であることを特徴とする。
【発明の効果】
【０００６】
本発明によれば、閉塞状態の部屋であっても、部屋内の温度差等により空気の対流が生じるため、部屋の中に空気の流れが生じ、この空気の流れは、起立位置となった蓋体の第２収容部の第２芳香剤の表面に当たり、第２芳香剤の芳香成分の揮発を促進する。
そして、揮発された第２芳香剤の芳香成分の一部は、容器本体の第１収容部の第１芳香剤の表面に当たり、第１芳香剤の表面を刺激することで第１芳香剤の揮発を促進する。
したがって、閉塞状態の部屋であっても、香りを部屋の隅々に充分の拡散する上で有利となり、特に、長期旅行などで家を長い間空ける場合でも香りを広げることができ、帰宅時に効果が感じられる。
また、不在時に香りを部屋の隅々に拡散したくない場合は、蓋体を閉塞位置に位置させておくことで、香りの拡散を止めることも可能となる。
また、本発明によれば、容器本体と蓋体とを揺動可能に結合し、蓋体を閉塞位置と起立位置とに係止保持させる係止機構を設けると、芳香剤容器の使い勝手を向上する上で有利となる。不在時に香りを部屋の隅々に拡散したくない場合は、容器本体と蓋体とを閉塞位置に係止保持させることで、拡散を止めることが可能となる。
また、本発明によれば、蓋体の起立位置を複数段に調節できるので、芳香剤容器を設置する場所に応じて蓋体の起立姿勢を調節でき、芳香剤容器を含む芳香剤容器の設置場所の美観性を高める上で有利となる。
また、本発明によれば、容器本体に第１接触防止部材を設け、蓋体に第２接触防止部材を設けると、薬剤に手の指などが直接触れることを防止することが可能となり、芳香剤容器の使い勝手を向上する上で有利となる。
また、本発明によれば、前記第１芳香剤と前記第２芳香剤の芳香成分を異ならせると、それら芳香成分が混ざり合うことで特有の香りを得る上で有利となる。
また、本発明によれば、蓋体の起立位置で、蓋体が容器本体に対してなす角度θを４５度以上１２０度以下にすると、第２芳香剤の芳香成分の揮発を促進し、また、第１芳香剤の揮発を促進する上で有利となる。
【図面の簡単な説明】
【０００７】
【図１】（Ａ）は蓋体が閉塞位置に位置する芳香剤容器の平面図、（Ｂ）は同断面正面図である。
【図２】蓋体が起立位置に位置する芳香剤容器の断面正面図である。
【図３】蓋体が起立位置に位置する芳香剤容器の斜視図である。
【図４】（Ａ）は容器本体の平面図、（Ｂ）は同断面正面図である。
【図５】（Ａ）は第１接触防止部材の平面図、（Ｂ）は同断面正面図である。
【図６】（Ａ）は蓋体の断面正面図、（Ｂ）は同底面図である。
【図７】（Ａ）は第２接触防止部材の平面図、（Ｂ）は同断面正面図である。
【発明を実施するための形態】
【０００８】
（第１の実施の形態）
次に、本発明の芳香剤容器の実施の形態について説明する。
図１〜図３に示すように、芳香剤容器１０は、容器本体１２と、蓋体１４と、第１接触防止部材１６と、第２接触防止部材１８とを備えている。
図４に示すように、容器本体１２は被載置面に載置可能で、第１芳香剤２０が収容される上方が開放された第１収容部１２Ａを有している。
第１芳香剤２０は、固体または半固体であり、第１収容部１２Ａに収容される。本実施の形態では第１芳香剤２０はゲル状を呈し、半固体である。
より詳細に説明すると、容器本体１２はほぼ円形の底板部１２０２と、底板部１２０２の周囲から起立する周壁部１２０４とを備え、底板部１２０２上で周壁部１２０４の内側空間が第１収容部１２Ａとなっている。
容器本体１２を平面視した場合、底板部１２０２の一側は円弧部分が切り取られており、底板部１２０２の一側に直線状に延在するヒンジ部２４が設けられている。
ヒンジ部２４は、直線状に延在し周壁部１２０４の一部を構成する直線壁部２４０２と、直線壁部２４０２から突設された２つの第１アーム２４０４とを備え、各第１アーム２４０４には支軸挿通孔２４０６が設けられている。
また、各第１アーム２４０４の互いに離れた側の側面で支軸挿通孔２４０６の周囲に閉塞位置用係止凹部２４０８Ａと起立位置用係止凹部２４０８Ｂとが設けられている。
周壁部１２０４の外面の上部と直線壁部２４０２の外面の上部には、第１接触防止部材１６を容器本体１２の上部に装着するための装着用凹部１２０６が設けられている。
【０００９】
図５に示すように、容器本体１２には、第１収容部１２Ａに収容された第１芳香剤２０の揮発を許容しつつ第１芳香剤２０への指の接触を防止する第１接触防止部材１６が設けられている。
本実施の形態では、第１接触防止部材１６は、第１芳香剤２０の第１収容部１２Ａからの取り出しや抜落を防止する機能も備えている。
第１接触防止部材１６は、直線壁部２４０２を含む周壁部１２０４の上部に装着される外枠部１６０２と、外枠部１６０２の内側に設けられた花びらの輪郭をなす複数の細長片１６０４から構成され、装飾性を備えている。
外枠部１６０２の内周面には、周壁部１２０４の外面の上部と直線壁部２４０２の外面の上部の装着用凹部１２０６に係止可能な装着用突条１６０６が設けられている。
また、外枠部１６０２の上面には第２接触防止部材１８側に係脱可能に係合する係脱用突条１６０８が設けられている。なお、不図示ではあるが、２つの第１アーム２４０４に対応した外枠部１６０２の箇所に第１アーム２４０４を突出させる欠部が設けられている。
外枠部１６０２と細長片１６０４の間および隣り合う細長片１６０４の間には、第１芳香剤２０の芳香成分の室内への揮発を許容する複数の空間部２６Ａが区画されている。
図２、図３に示すように、第１接触防止部材１６は、外枠部１６０２が直線壁部２４０２を含む周壁部１２０４の上部に被せられ、装着用突条１６０６を装着用凹部１２０６に係止させることで容器本体１２の上部に装着され、このように装着された状態で複数の細長片１６０４により第１芳香剤２０への指の接触が防止され、また、第１収容部１２Ａからの第１芳香剤２０の取り出しや抜落が防止されている。
【００１０】
図１、図２、図６に示すように、蓋体１４は、第１収容部１２Ａを閉塞する閉塞位置と容器本体１２の端部から起立する起立位置とに選択的になることが可能で、蓋体１４は、閉塞位置で下方に開放状で第２芳香剤２２が収容される第２収容部１４Ａを有している。
第２芳香剤２２は、固体または半固体であり、第２収容部１４Ａに収容される。本実施の形態では第２芳香剤２２は第１芳香剤２０と同様にゲル状を呈し、半固体である。
より詳細に説明すると、図６に示すように、蓋体１４はほぼ円形の上板部１４０２と、上板部１４０２の周囲から起立する周壁部１４０４とを備え、上板部１４０２の下面上で周壁部１４０４の内側空間が第２収容部１４Ａとなっている。
平面視した場合、容器本体１２の輪郭と蓋体１４の輪郭とはほぼ合致している。
蓋体１４を平面視した場合、上板部１４０２の一側は円弧部分が切り取られており、上板部１４０２の一側に直線状に延在するヒンジ部２８が設けられている。
ヒンジ部２８は、直線状に延在し周壁部１４０４の一部を構成する直線壁部２８０２と、直線壁部２８０２から突設された２つの第２アーム２８０４とを備え、各第２アーム２８０４には互いに向かい合う方向に突出し支軸挿通孔２４０６に挿入可能な支軸２８０６が設けられている。
【００１１】
２つの第２アーム２８０４の支軸２８０６がそれぞれ第１アーム２４０４の支軸挿通孔２４０６に挿入されることで、容器本体１２と蓋体１４とは揺動可能に結合される。
また、各第２アーム２８０４の側面には容器本体１２の閉塞位置用係止凹部２４０８Ａと起立位置用係止凹部２４０８Ｂに係止可能な姿勢保持用係止突起２８０８が設けられている。
図１に示すように、姿勢保持用係止突起２８０８が閉塞位置用係止凹部２４０８Ａに係止することで、蓋体１４は第１収容部１２Ａを閉塞する閉塞位置となりかつこの閉塞位置が保持され、図２に示すように、姿勢保持用係止突起２８０８が起立位置用係止凹部２４０８Ｂに係止することで、蓋体１４は容器本体１２の端部から起立する起立位置となりかつこの起立位置に保持される。
本実施の形態では、図４、図６に示すように、蓋体１４を閉塞位置と起立位置とに係止保持させる係止機構３０が姿勢保持用係止突起２８０８と、閉塞位置用係止凹部２４０８Ａと、起立位置用係止凹部２４０８Ｂとで構成されている。
図６に示すように、周壁部１４０４の外面の下部と直線壁部２８０２の外面の下部には、第２接触防止部材１８を蓋体１４の下部に装着するための装着用凹部１４０６が設けられている。
【００１２】
図２に示すように、第２収容部１４Ａには第２芳香剤２２が収容され、第２収容部１４Ａには、第２芳香剤２２の揮発を許容しつつ第２芳香剤２２への指の接触を防止する第２接触防止部材１８が設けられている。本実施の形態では、第２接触防止部材１８は、第２芳香剤２２の第２収容部１４Ａからの取り出しや抜落を阻止する機能も備えている。
図７に示すように、第２接触防止部材１８は、直線壁部２８０２を含む周壁部１４０４の下部に装着される外枠部１８０２と、外枠部１８０２の内側に設けられた花びらの輪郭をなす複数の細長片１８０４から構成され、装飾性を有している。
外枠部１８０２の内周面には、周壁部１４０４の外面の下部と直線壁部２８０２の外面の下部の装着用凹部１４０６に係止可能な装着用突条１８０６が設けられている。
また、外枠部１８０２の下面には第１接触防止部材１６の係脱用突条１６０８に係脱可能に係合する係脱用突条１８０８が設けられている。なお、不図示ではあるが、２つの第２アーム２８０４に対応した外枠部１８０２の箇所に第２アーム２８０４を突出させる欠部が設けられている。
外枠部１８０２と細長片１８０４の間および隣り合う細長片１８０４の間には、第２芳香剤２２の芳香成分の室内への揮発を許容する複数の空間部２６Ｂが区画されている。
第２接触防止部材１８は、外枠部１８０２が直線壁部２８０２を含む周壁部１４０４の下部に被せられ、装着用突条１８０６を装着用凹部１４０６に係止させることで蓋体１４の下部に装着され、このように装着された状態で複数の細長片１８０４により第２芳香剤２２への指の接触が防止され、また、第２収容部１４Ａからの第２芳香剤２２の取り出しや抜落が防止されている。
【００１３】
工場出荷時には、第１接触防止部材１６と第２接触防止部材１８の上にそれぞれ不図示のフィルムが貼られ、第１芳香剤２０および第２芳香剤２２の揮散が防止された状態とされる。
また、図１に示すように蓋体１４は閉塞位置とされる。
蓋体１４の閉塞位置は、姿勢保持用係止突起２８０８が閉塞位置用係止凹部２４０８Ａに係止し、第１接触防止部材１６と第２接触防止部材１８の係脱用突条１６０８、１８０８が係合することで保持される。
そして、蓋体１４が閉塞位置に位置した状態で適宜包装袋などに封入された包装形態で市場に運搬される。
【００１４】
次に、芳香剤容器１０の使用方法について説明する。
芳香剤容器１０の使用時には、第１接触防止部材１６および第２接触防止部材１８からフィルムが剥がされ、図２、図３に示すように、蓋体１４を起立位置とし、容器本体１２が部屋の床面や棚などの適宜箇所に載置される。なお、蓋体１４の閉塞位置において互いに対向する容器本体１２の上面と蓋体１４との下面が、図２に示すように、起立位置では角度θをなしており、言い換えると、起立位置で蓋体１４が容器本体１２に対してなす角度θは図２では８５度で描かれている。
蓋体１４の起立位置は、姿勢保持用係止突起２８０８が起立位置用係止凹部２４０８Ｂに係止することで保持される。
このように蓋体１４を起立位置とし、部屋の床面や棚などの適宜箇所に容器本体１２が載置されると、部屋内の空気の流れにより、容器本体１２の第１収容部１２Ａに収容された第１芳香剤２０から揮発した芳香成分と、蓋体１４の第２収容部１４Ａに収容された第２芳香剤２２から揮発した芳香成分とが空気の流れに乗って部屋中に拡散される。
この場合、部屋内の空気の流れは、起立位置となった蓋体１４の第２収容部１４Ａの第２芳香剤２２に当たるため、第２芳香剤２２からの芳香成分の揮発が積極的になされる。
同時に、第２芳香剤２２から揮発した芳香成分の一部は第１芳香剤２０に当たるため、第１芳香剤２０からの芳香成分の揮発も積極的になされる。
したがって、香りを部屋の隅々に充分の拡散する上で有利となる。
【００１５】
また、家を留守にする場合などに窓などを閉じ部屋を閉塞した状態にした場合であっても、部屋内の温度差等により空気の対流が生じるため、部屋の中に空気の流れが生じる。この空気の流れは、起立位置となった蓋体１４の第２収容部１４Ａの第２芳香剤２２の表面に当たり、第２芳香剤２２の芳香成分の揮発を促進する。
そして、揮発された第２芳香剤２２の芳香成分の一部は、空気の流れに乗って部屋内に拡散される。
また、揮発された第２芳香剤２２の芳香成分の一部は、容器本体１２の第１収容部１２Ａの第１芳香剤２０の表面に当たり、第１芳香剤２０の表面を刺激することで第１芳香剤２０の揮発を促進し、第１芳香剤２０の芳香成分は、空気の流れに乗って部屋内に拡散される。
したがって、窓などを閉じ部屋を閉塞した状態にした場合であっても、香りを部屋の隅々に充分の拡散する上で有利となり、特に、長期旅行などで家を長い間空ける場合などに有利となる。
また、不在時に香りを部屋の隅々に拡散したくない場合は、容器本体１２と蓋体１４とを閉塞位置に係止保持させることで、香りの拡散を止めることが可能となる。
【００１６】
本実施の形態では、起立位置に位置する蓋体１４の第２収容部１４Ａに収容された第２芳香剤２２に空気が当たり、揮発された第２芳香剤２２の芳香成分の一部が、容器本体１２の第１収容部１２Ａに収容された第１芳香剤２０の表面に当たり、第１芳香剤２０の表面を刺激させることを考慮すると、蓋体１４の起立位置で、蓋体１４が容器本体１２に対する角度θは、４５度以上１２０度以下が好ましい。
これは角度θが４５度未満であると、僅かな空気の流れの第２芳香剤２２への当たりが弱められ、第２芳香剤２２の揮発が促進されにくくなると考えられるためである。
また、角度θが１２０度を超えると、第２芳香剤２２から揮発した芳香成分の多くが空気の流れに乗ってしまい、容器本体１２の第１収容部１２Ａの第１芳香剤２０の表面に当たる第２芳香剤２２の芳香成分が少なくなり、第１芳香剤２０の表面の刺激が少なくなると考えられるためである。
【００１７】
したがって、本実施の形態の芳香剤容器１０によれば、外出の際、窓などが閉じられた閉塞状態の部屋においても、第１芳香剤２０と第２芳香剤２２とにより十分な芳香効果を得る上で有利となる。
この場合、第１芳香剤２０と第２芳香剤２２とに異なる芳香成分のものを用いると、それら芳香成分が混ざり合うことで特有の香りを得ることも可能となる。
また、第１芳香剤２０と第２芳香剤２２とが同じ芳香成分のものでも、例えば、第１芳香剤２０に水溶性の芳香剤を、第２芳香剤２２に油性の芳香剤を用いることも可能であり、この場合には、水溶性と油性のそれぞれの特徴を持ち合わせたふくよかな香りを揮発し拡散することができるという効果が奏される。
【００１８】
なお、本実施の形態では、蓋体１４の起立位置が１箇所である場合について説明したが、容器本体１２の閉塞位置用係止凹部２４０８Ａと起立位置用係止凹部２４０８Ｂとの間に、第２アーム２８０４の姿勢保持用係止突起２８０８に係止可能な起立位置用係止凹部を１つあるいは複数設けると、蓋体１４の起立位置を複数段に調節できる。これにより芳香剤容器１０を設置する場所に応じて蓋体１４の起立姿勢を調節でき、芳香剤容器１０を含む芳香剤容器１０の設置場所の美観性を高める上で有利となる。
また、本実施の形態では、容器本体１２と蓋体１４とが揺動可能に結合された場合について説明したが、容器本体１２と蓋体１４とを互いに切り離された別部材で構成し、容器本体１２に蓋体１４を結合させることで蓋体１４を閉塞位置とし、また、蓋体１４を容器本体１２から取り外し再度容器本体１２に蓋体１４を結合させることで蓋体１４を起立位置にするような脱着式としてもよい。ただし、実施の形態のように容器本体１２と蓋体１４とを揺動可能に結合すると、芳香剤容器１０が使い易い点で有利となる。
また、蓋体１４を容器本体１２に揺動可能に結合させる揺動機構の構造や、蓋体１４を閉塞位置と起立位置とに係止保持させる係止機構３０の構造、第１接触防止部材１６と第２接触防止部材１８の構造には、従来公知の様々な構成が採用可能であり、実施の形態の構造に限定されない。
また、本実施の形態では、容器本体１２および蓋体１４の平面視形状が円形である場合について説明したが、平面視形状は、円形に限定されず、三角形や多角形でもよく、あるいは、キャラクターなどを縁取った形状でもよく、従来公知の様々根形状が採用可能である。
【符号の説明】
【００１９】
１０  芳香剤容器
１２  容器本体
１２Ａ  第１収容部
１４  蓋体
１４Ａ  第２収容部
１６  第１接触防止部材
１８  第２接触防止部材
２０  第１芳香剤
２２  第２芳香剤
３０  係止機構
【図１】
2020130549.tif 000003
【図２】
2020130549.tif 000004
【図３】
2020130549.tif 000005
【図４】
2020130549.tif 000006
【図５】
2020130549.tif 000007
【図６】
2020130549.tif 000008
【図７】
2020130549.tif 000009